(57)【要約】  デジタル放送伝送システムにおいて、ＥＳＧフラグメントリスト内で所望のＥＳＧフラグメントを識別するための装置及び方法が提供される。ＥＳＧフラグメントリスト又はブートストラップＥＳＧは、指定されたサービスプロバイダ、オペレータ、又は他の装置もしくはシステムにより生成することができる。ブートストラップＥＳＧは、２次ＥＳＧフラグメントに関する情報を含む、又は該情報を参照することができる。更に、２次ＥＳＧフラグメントは、階層構成で他のＥＳＧフラグメントに関する情報を含む、又は該情報を参照することができる。モバイル端末は、例えば、２次ＥＳＧに対応する基準をブートストラップＥＳＧ内で識別することにより、ブートストラップＥＳＧから所望のＥＳＧフラグメントを識別することができる。【選択図】図７
2009515386.tif 000002
【特許請求の範囲】
【請求項１】
サービスガイド情報を受け取るように構成された入力と、
前記サービスガイド情報を電子サービスガイド（ＥＳＧ）フラグメント内に構築するように構成されたデータアグリゲータと、
を備え、
前記構築されたＥＳＧフラグメントが他のＥＳＧフラグメントへの参照を階層構成で含み、
前記ＥＳＧフラグメントを端末に提供するように構成された出力が設けられている、
ことを特徴とする装置。
【請求項２】
前記サービスガイド情報が複数のＥＳＧフラグメントからの情報を含む、
ことを特徴とする請求項１に記載の装置。
【請求項３】
前記サービスガイド情報が、プロビジョニングデータ、管理データ、コアデータ、及びアクセスデータのうちの少なくとも１つから選択された情報を含む、
ことを特徴とする請求項２に記載の装置。
【請求項４】
前記サービスガイド情報が、購入項目データ、購入データ、及び購入経路データのうちの少なくとも１つから選択されたプロビジョニングデータを含む、
ことを特徴とする請求項３に記載の装置。
【請求項５】
前記サービスガイド情報が、サービスデータ、スケジュールデータ、及びコンテンツデータのうちの少なくとも１つから選択されたコアデータを含む、
ことを特徴とする請求項３に記載の装置。
【請求項６】
前記サービスガイド情報が、アクセスデータ及びセッション記述データのうちの少なくとも１つから選択されたアクセスデータを含む、
ことを特徴とする請求項３に記載の装置。
【請求項７】
前記サービスガイド情報が、第１ＥＳＧフラグメントからの情報と第２ＥＳＧフラグメントからの情報とを含む、
ことを特徴とする請求項１に記載の装置。
【請求項８】
前記第１ＥＳＧフラグメントが、第３ＥＳＧフラグメントに対応するサービスガイド情報を含む、
ことを特徴とする請求項７に記載の装置。
【請求項９】
前記第３ＥＳＧフラグメントが更に、第４ＥＳＧフラグメントに対応するサービスガイド情報を含む、
ことを特徴とする請求項８に記載の装置。
【請求項１０】
前記第２ＥＳＧフラグメントが更に、前記第３ＥＳＧフラグメントに対応するサービスガイド情報を含む、
ことを特徴とする請求項８に記載の装置。
【請求項１１】
前記サービスガイド情報が、第１ＥＳＧフラグメントからの情報、第２ＥＳＧフラグメントからの情報、及び第３ＥＳＧフラグメントからの情報を含み、前記第１ＥＳＧフラグメントが更に、前記第３ＥＳＧフラグメントを参照するサービスガイド情報を含む、
ことを特徴とする請求項１に記載の装置。
【請求項１２】
前記サービスガイド情報が、第１ＥＳＧフラグメントからの情報及び第２ＥＳＧフラグメントからの情報を含み、前記第１ＥＳＧフラグメントが、対応する番組又はサービスのプロビジョニングデータを含み、前記第２ＥＳＧフラグメントが、前記番組又はサービスに対応する非プロビジョニングデータを含む、
ことを特徴とする請求項１に記載の装置。
【請求項１３】
前記プロビジョニングデータが、購入項目、購入データ、及び購入経路情報のうちの少なくとも１つから選択される、
ことを特徴とする請求項１２に記載の装置。
【請求項１４】
前記非プロビジョニングデータが、サービス、スケジュール、コンテンツ、アクセス、及びセッション記述情報のうちの少なくとも１つから選択される、
ことを特徴とする請求項１２に記載の装置。
【請求項１５】
前記第１ＥＳＧフラグメント及び前記第２ＥＳＧフラグメントが異なるオペレータから受信される、
ことを特徴とする請求項１２に記載の装置。
【請求項１６】
前記第１ＥＳＧフラグメント及び前記第２ＥＳＧフラグメントが異なるサービスプロバイダから受信される、
ことを特徴とする請求項１２に記載の装置。
【請求項１７】
前記第１ＥＳＧフラグメント及び前記第２ＥＳＧフラグメントが番組又はサービスに関する、
ことを特徴とする請求項１６に記載の装置。
【請求項１８】
前記第１ＥＳＧフラグメントが前記番組又はサービスについての基本情報を含み、前記第２ＥＳＧフラグメントが前記番組又はサービスについてのより詳細な情報を含む、
ことを特徴とする請求項１７に記載の装置。
【請求項１９】
前記基本情報が、前記番組又はサービスの名前又は識別子のうちの少なくとも１つを含む、
ことを特徴とする請求項１８に記載の装置。
【請求項２０】
前記より詳細な情報が、１人又はそれ以上の俳優の経歴、１つ又はそれ以上のインタビュー、双方向サービス、及び前記番組又はサービスに関するプロビジョニング情報のうちの少なくとも１つを含む、
ことを特徴とする請求項１９に記載の装置。
【請求項２１】
複数の２次ＥＳＧフラグメントに対応するデータを含む電子サービスガイド（「ＥＳＧ」）フラグメントを識別する段階と、
前記ＥＳＧフラグメントを構文解析して、前記複数の２次ＥＳＧフラグメント内の２次ＥＳＧフラグメントを識別する段階と、
前記構文解析段階に基づいて、２次ＥＳＧフラグメントを選択する段階と、
を含み、
前記ＥＳＧフラグメントが前記複数の２次ＥＳＧフラグメントの情報を階層構成で含む、
ことを特徴とする方法。
【請求項２２】
前記ＥＳＧフラグメントを識別する段階が、
前記ＥＳＧフラグメントに対応するＩＰアドレスを求める段階と、
前記ＥＳＧフラグメントに対応するポート番号を求める段階と、
前記ＩＰアドレス及び前記ポート番号に基づいて前記ＥＳＧフラグメントを識別する段階と、
を含む
ことを特徴とする請求項２１に記載の方法。
【請求項２３】
前記複数の２次ＥＳＧフラグメントの情報が、プロビジョニングデータ、管理データ、コアデータ、及びアクセスデータのうちの少なくとも１つから選択された情報を含む、
ことを特徴とする請求項２１に記載の方法。
【請求項２４】
前記ＥＳＧフラグメントを構文解析する段階が、
基準を決定する段階と、
前記ＥＳＧフラグメント内で前記基準を識別する段階と、
前記識別された基準に対応する２次ＥＳＧフラグメントを識別する段階と、
を含む
ことを特徴とする請求項２１に記載の方法。
【請求項２５】
前記基準が、オペレータＩＤ、オペレータ記述、ＩＰアドレス−ポート番号、購入状況、購入経路、２次ＥＳＧフラグメントのＵＲＩ、サービスプロバイダＩＤ、最終更新日又は時間、次に予想される更新日又は時間、及び２次ＥＳＧフラグメントの有効性のうちの少なくとも１つから選択される、
ことを特徴とする請求項２４に記載の方法。
【請求項２６】
前記２次ＥＳＧフラグメントを選択する段階が、前記識別された２次ＥＳＧフラグメントを選択する段階を含む、
ことを特徴とする請求項２５に記載の方法。
【請求項２７】
前記複数の２次ＥＳＧフラグメントが、第１ＥＳＧフラグメント及び第２ＥＳＧフラグメントを含む、
ことを特徴とする請求項２１に記載の方法。
【請求項２８】
前記第１ＥＳＧフラグメントが、前記第２ＥＳＧフラグメントに対応するサービスガイド情報を含む、
ことを特徴とする請求項２７に記載の方法。
【請求項２９】
前記第１ＥＳＧフラグメントが更に、第３ＥＳＧフラグメントに対応するサービスガイド情報を含む、
ことを特徴とする請求項２７に記載の方法。
【請求項３０】
前記第２ＥＳＧフラグメントが更に、前記第３ＥＳＧフラグメントに対応するサービスガイド情報を含む、
ことを特徴とする請求項２９に記載の方法。
【請求項３１】
前記複数の２次ＥＳＧフラグメントが第１ＥＳＧフラグメント及び第２ＥＳＧフラグメントを含み、前記第１ＥＳＧフラグメントが対応する番組又はサービスのプロビジョニングデータを含み、前記第２ＥＳＧフラグメントが前記番組又はサービスに対応する非プロビジョニングデータを含む、
ことを特徴とする請求項２１に記載の方法。
【請求項３２】
複数の２次ＥＳＧフラグメントに対応するデータを含むＥＳＧフラグメントを識別する段階と、
前記ＥＳＧフラグメントを構文解析して前記複数の２次ＥＳＧフラグメント内の２次ＥＳＧフラグメントを識別する段階と、
前記構文解析段階に基づいて２次ＥＳＧフラグメントを選択する段階と、
を含む動作を装置に実行させるためのコンピュータ実行可能命令を含むコンピュータ読み出し可能媒体であって、
前記ＥＳＧフラグメントが前記複数の２次ＥＳＧフラグメントの情報を階層構成で含む、
ことを特徴とするコンピュータ読み出し可能媒体。
【請求項３３】
前記ＥＳＧフラグメントを識別する段階が、
前記ＥＳＧフラグメントに対応するＩＰアドレスを求める段階と、
前記ＥＳＧフラグメントに対応するポート番号を求める段階と、
前記ＩＰアドレス及び前記ポート番号に基づいて前記ＥＳＧフラグメントを識別する段階と、
を含む
ことを特徴とする請求項３２に記載のコンピュータ読み出し可能媒体。
【請求項３４】
前記複数の２次ＥＳＧフラグメントの情報が、プロビジョニングデータ、管理データ、コアデータ、及びアクセスデータのうちの少なくとも１つから選択された情報を含む、
ことを特徴とする請求項３２に記載のコンピュータ読み出し可能媒体。
【請求項３５】
前記ＥＳＧフラグメントを構文解析する段階が、
基準を決定する段階と、
前記ＥＳＧフラグメント内で前記基準を識別する段階と、
前記識別された基準に対応する２次ＥＳＧフラグメントを識別する段階と、
を含む
ことを特徴とする請求項３２に記載のコンピュータ読み出し可能媒体。
【請求項３６】
前記基準が、オペレータＩＤ、オペレータ記述、ＩＰアドレス−ポート番号、購入状況、購入経路、２次ＥＳＧフラグメントのＵＲＩ、サービスプロバイダＩＤ、最終更新日又は時間、次に予想される更新日又は時間、及び２次ＥＳＧフラグメントの有効性のうちの少なくとも１つから選択される、
ことを特徴とする請求項３５に記載のコンピュータ読み出し可能媒体。
【請求項３７】
前記２次ＥＳＧフラグメントを選択する段階が、前記識別された２次ＥＳＧフラグメントを選択する段階を含む、
ことを特徴とする請求項３６に記載のコンピュータ読み出し可能媒体。
【請求項３８】
前記複数の２次ＥＳＧフラグメントが、第１ＥＳＧフラグメント及び第２ＥＳＧフラグメントを含む、
ことを特徴とする請求項３２に記載のコンピュータ読み出し可能媒体。
【請求項３９】
前記第１ＥＳＧフラグメントが、前記第２ＥＳＧフラグメントに対応するサービスガイド情報を含む、
ことを特徴とする請求項３８に記載のコンピュータ読み出し可能媒体。
【請求項４０】
前記第１ＥＳＧフラグメントが更に、第３ＥＳＧフラグメントに対応するサービスガイド情報を含む、
ことを特徴とする請求項３８に記載のコンピュータ読み出し可能媒体。
【請求項４１】
前記第２ＥＳＧフラグメントが更に、前記第３ＥＳＧフラグメントに対応するサービスガイド情報を含む、
ことを特徴とする請求項４０に記載のコンピュータ読み出し可能媒体。
【請求項４２】
前記複数の２次ＥＳＧフラグメントが第１ＥＳＧフラグメント及び第２ＥＳＧフラグメントを含み、前記第１ＥＳＧフラグメントが対応する番組又はサービスのプロビジョニングデータを含み、前記第２ＥＳＧフラグメントが前記番組又はサービスに対応する非プロビジョニングデータを含む、
ことを特徴とする請求項３２に記載のコンピュータ読み出し可能媒体。
【請求項４３】
複数の２次ＥＳＧフラグメントに対応するデータを含む電子サービスガイド（「ＥＳＧ」）フラグメントを識別する手段と、
前記ＥＳＧフラグメントを構文解析して前記複数の２次ＥＳＧフラグメント内の２次ＥＳＧフラグメントを識別する手段と、
前記構文解析手段からの情報に基づいて２次ＥＳＧフラグメントを選択する手段と、
を含む装置であって、
前記ＥＳＧフラグメントが前記複数の２次ＥＳＧフラグメントの情報を階層構成で含む、
ことを特徴とする装置。
【請求項４４】
ＥＳＧフラグメントを識別する手段が、
前記ＥＳＧフラグメントに対応するＩＰアドレスを求める手段と、
前記ＥＳＧフラグメントに対応するポート番号を求める手段と、
前記ＩＰアドレス及び前記ポート番号に基づいて前記ＥＳＧフラグメントを識別する手段と、
を含む
ことを特徴とする請求項４３に記載の装置。
【請求項４５】
前記複数の２次ＥＳＧフラグメントの情報が、プロビジョニングデータ、管理データ、コアデータ、及びアクセスデータのうちの少なくとも１つから選択された情報を含む、
ことを特徴とする請求項４３に記載の方法。
【請求項４６】
前記ＥＳＧフラグメントを構文解析する手段が、
基準を決定する手段と、
前記ＥＳＧフラグメント内で前記基準を識別する手段と、
前記識別された基準に対応する２次ＥＳＧフラグメントを識別する手段と、
を含む
ことを特徴とする請求項４３に記載の装置。
【請求項４７】
前記基準が、オペレータＩＤ、オペレータ記述、ＩＰアドレス−ポート番号、購入状況、購入経路、２次ＥＳＧフラグメントのＵＲＩ、サービスプロバイダＩＤ、最終更新日又は時間、次に予想される更新日又は時間、及び２次ＥＳＧフラグメントの有効性のうちの少なくとも１つから選択される、
ことを特徴とする請求項４６に記載の装置。
【請求項４８】
複数の２次ＥＳＧフラグメントに対応するデータを含む電子サービスガイド（「ＥＳＧ」）フラグメントを識別し、
前記ＥＳＧフラグメントを構文解析して前記複数の２次ＥＳＧフラグメント内の第１の２次ＥＳＧフラグメント及び第２の２次ＥＳＧフラグメントを識別し、
前記ＥＳＧフラグメントを構文解析することにより識別された前記第１及び第２の２次ＥＳＧフラグメントを選択する、
ように構成されたプロセッサを備える装置であって、
前記第１及び第２の２次ＥＳＧフラグメントが番組又はサービスに関し、且つ異なるサービスプロバイダにより提供されており、
前記装置には、前記第１及び第２の２次ＥＳＧフラグメントからの情報を表示するように構成されたユーザインタフェースが設けられている、
ことを特徴とする装置。
【請求項４９】
前記第１の２次ＥＳＧフラグメントが前記番組又はサービスについての基本情報を含み、前記第２の２次ＥＳＧフラグメントが前記番組又はサービスについてのより詳細な情報を含む、
ことを特徴とする請求項４８に記載の装置。
【請求項５０】
前記基本情報が、前記番組又はサービスの名前又は識別子のうちの少なくとも１つを含む、
ことを特徴とする請求項４９に記載の装置。
【請求項５１】
前記より詳細な情報が、１人又はそれ以上の俳優の経歴、１つ又はそれ以上のインタビュー、双方向サービス、及び前記番組又はサービスに関するプロビジョニング情報のうちの少なくとも１つを含む、
ことを特徴とする請求項５０に記載の装置。
【発明の詳細な説明】
【技術分野】
【０００１】
（関連出願に対する相互参照）
本出願は、２００５年１１月１日に出願され、引用により本明細書に組み込まれる米国仮出願番号６０／７３１，９２６の利益を主張する。
【０００２】
本発明の実施形態は、一般に、通信ネットワークに関する。より具体的には、本発明の実施形態は、階層方式でサービスガイドを提供することを可能にする。
【背景技術】
【０００３】
一般に、電子サービスガイド（Ｅｌｅｃｔｒｏｎｉｃ  Ｓｅｒｖｉｃｅ  Ｇｕｉｄｅ、ＥＳＧ）により、端末は、エンドユーザが利用可能なサービスが何であるか及びどのようにしてサービスにアクセスすることができるかを伝達することが可能になる。ＥＳＧフラグメントとは、ＥＳＧの個別に存在する要素である。従来、ＥＳＧフラグメントはＸＭＬ文書を含むが、より最近では、例えばＳＤＰ（Ｓｅｓｓｉｏｎ  Ｄｅｓｃｒｉｐｔｉｏｎ  Ｐｒｏｔｏｃｏｌ、セッション記述プロトコル）記述、テキストファイル、又は画像などのあらゆるアイテムを含んでいる。ＥＳＧフラグメントは、現在利用可能な（又は今後の）サービス又は放送番組の１つ又は複数の態様を記述する。このような態様は、例えば、フリーテキスト記述、スケジュール、地理的可用性、価格、購入方法、ジャンル、及びプレビュー画像又はクリップなどの補足情報を含むことができる。ＥＳＧフラグメントを含むオーディオ、ビデオ、及び他のタイプのデータは、多くの様々なプロトコルに従って種々のタイプのネットワークを通じて伝送することができる。例えば、データは、インターネットプロトコル（Ｉｎｔｅｒｎｅｔ  Ｐｒｏｔｏｃｏｌ、ＩＰ）及びユーザデータグラムプロトコル（Ｕｓｅｒ  Ｄａｔａｇｒａｍ  Ｐｒｏｔｏｃｏｌ、ＵＤＰ）などのインターネットプロトコル群のプロトコルを用いた「インターネット」と通常呼ばれるネットワーク集合を通じて伝送することができる。データは、インターネットを通じて単一ユーザ宛てに伝送されることが多い。しかしながら、データはユーザのグループに宛てることも可能であり、これは一般にマルチキャストとして知られる。データが全ユーザに宛てられる場合、これはブロードキャストと呼ばれる。ＥＳＧデータは、デジタルブロードバンド放送及び／又はマルチキャストネットワークを含む様々なタイプの無線デジタルネットワークを用いて伝送することができる。
【０００４】
複数の番組又はサービスは、端末又は受信機に同時に提供されることが多い。しかしながら、ユーザは、多くの場合は、一度に１つの番組又はサービスだけを所望する。複数の番組又はサービスが提供されている場合、ユーザは、所望の利用可能なサービス又は番組を見つけるために、周波数帯域全体を走査することが必要となる可能性がある。ユーザが移動体である場合には、利用可能な番組又サービスが変わる可能性があるので、この問題は更に悪化する。所望の番組又はサービスを見つけるために、その都度周波数帯域全体を走査しなければならないことは多くの時間を要し、ストレスを感じさせるものである。
【０００５】
従って、通信ネットワークにおいて所望の番組又はサービスを迅速で効率的且つ正確な方式で識別するための方法及びシステムの必要性がある。
【０００６】
【特許文献１】米国仮出願番号６０／７３１，９２６
【発明の開示】
【０００７】
以下は、本発明の幾つかの態様の基本的な理解を可能にするための簡単な概要を示している。本概要は、本発明を広範にわたって総括したものではない。本概要はまた、本発明の主要又は重要な要素を認識することを意図してものではなく、本発明の範囲を正確に述べることを目的としたものでもない。以下の概要は単に、より詳細な以下の説明に対する前置きとして、本発明の実施形態による幾つかの概念を簡略形で提示している。
【０００８】
１つの実施例では、ＥＳＧフラグメントのリストから所望のＥＳＧを識別するための方法が提供される。ＥＳＧフラグメントのリストは、ブートストラップＥＳＧとすることができる。例えば、ブートストラップＥＳＧは、他のＥＳＧフラグメント、すなわち２次ＥＳＧフラグメントを宣言し、これらに関する情報を含むか、又はこれらを参照することができる。２次ＥＳＧフラグメントは階層構成とすることができる。
【０００９】
別の実施例では、複数のサービスプロバイダ又はオペレータからのＥＳＧフラグメントリストを提供するための装置が提供される。本装置は、例えば、サービスプロバイダ、オペレータ、又は他のあらゆる指定されたシステム又は装置とすることができる。１つの実施例では、サービスガイド情報を受け取り、ブートストラップＥＳＧなどのＥＳＧを構築して、受信したサービスガイド情報に関する情報を含め且つ包含する、或いは該情報を参照するためのＥＳＧアグリゲータが提供される。例えば、ブートストラップＥＳＧは、階層構成で他のＥＳＧフラグメントに関する情報を包含又は参照することができる。
【００１０】
別の実施例では、ＥＳＧフラグメントリスト又はブートストラップＥＳＧにおいて所望のＥＳＧフラグメントを識別するためのコンピュータ読み出し可能媒体が提供される。ＥＳＧフラグメントリストは、階層構成とすることができる。
【発明を実施するための最良の形態】
【００１１】
同様の参照数字が同様の特徴部を示す添付図面を考慮しながら以下の説明を参照することにより、本発明及びその利点をより完全に理解することができる。
【００１２】
種々の実施形態の以下の記載において、本明細書の一部を成す添付図面について述べており、ここでは、本発明を実施することができる種々の実施形態が例証として示されている。他の実施形態を利用してもよく、本発明の範囲及び精神から逸脱することなく構造上及び機能上の修正を行うことができる点は理解されたい。
【００１３】
本発明の態様は、広範囲のネットワーク及び通信プロトコルにわたって利用することができる。図１は、本発明のシステム及び方法を利用することができる無線通信システム１１０の実施例を示している。携帯情報端末（ＰＤＡ）、携帯電話、モバイル端末、パーソナルビデオレコーダ、携帯用テレビ、パーソナルコンピュータ、デジタルカメラ、デジタルカムコーダ、携帯用オーディオ機器、携帯用ラジオ、又はこれらの組み合わせなどの１つ又はそれ以上のネットワーク対応のモバイルデバイス１１２は、放送ネットワーク１１４及び／又はセルラーネットワーク１１６を通じてサービスソース１２２と通信状態にある。モバイル端末／デバイス１１２は、デジタルブロードバンド放送受信機デバイスを含むことができる。サービスソース１２２は、幾つかのサービスプロバイダに接続することができ、これらのサービスプロバイダが自己の実際の番組コンテンツ又は情報或いは自己のサービス及び番組の説明をこのサービスソースに提供することができ、このサービスソースが更に、モバイルデバイス１１２にコンテンツ又は情報を提供する。幾つかのサービスプロバイダは、限定ではないが、１つ又はそれ以上のテレビ放送及び／又はデジタルテレビ放送サービスプロバイダ、ＡＭ／ＦＭラジオのサービスプロバイダ、ＳＭＳ／ＭＭＳプッシュサービスプロバイダ、インターネットコンテンツ又はアクセスプロバイダを含むことができる。
【００１４】
データを放送する１つの方法は、ＩＰデータキャスティング（ＩＰ  ｄａｔａｃａｓｔｉｎｇ、ＩＰＤＣ）ネットワークを使用することである。ＩＰＤＣとは、デジタル放送とインターネットプロトコルとを組み合わせたものである。このようなＩＰベースの放送ネットワークを通じて、１つ又はそれ以上のサービスプロバイダは、オンライン新聞、ラジオ、及びテレビ放送を含む様々なタイプのＩＰサービスを供給することができる。これらのＩＰサービスは、オーディオ、ビデオ、及び／又は他のタイプのデータの形式の１つ又はそれ以上のメディアストリームに編成される。これらのストリームがいつどこで発生するかを判断するために、ユーザは、電子サービスガイド（ＥＳＧ）を参照する。デジタルテレビ放送（ＤＶＢ）ストリームで用いられる１つの実施例は、電子番組ガイド（ＥＰＧ）である。ＤＶＢの１つのタイプは、携帯電話などの小型携帯用デバイス上で利用可能な機能及びサービスを高める最近開発された技術である携帯機器向けデジタルテレビ放送（ＤＶＢ−Ｈ）である。ＤＶＢ−Ｈは、バッテリー式の端末デバイスに１０Ｍｂｐｓのデータを配信するように設計されている。
【００１５】
ＤＶＢトランスポートストリームは、第三者の配信ネットワークを介してユーザに圧縮されたオーディオ及びビデオ並びにデータを配信する。Ｍｏｖｉｎｇ  Ｐｉｃｔｕｒｅ  Ｅｘｐｅｒｔ  Ｇｒｏｕｐ（ＭＰＥＧ）は、単一番組内の符号化されたビデオ、オーディオ、及びデータを他の番組と共に多重化してトランスポートストリーム（ＴＳ）にする技術である。ＴＳは、ヘッダを含む固定長パケットを備えたパケット化されたデータストリームである。番組、オーディオ、及びビデオの個々の要素は、一意のパケット識別子（ＰＩＤ）を有するパケット内で各々が搬送される。受信機デバイスがＴＳ内で特定の番組の異なる要素を特定することができるように、ＴＳ内に埋め込まれた番組特定情報（Ｐｒｏｇｒａｍ  Ｓｐｅｃｉｆｉｃ  Ｉｎｆｏｒｍａｔｉｏｎ、ＰＳＩ）が提供される。更に、ＭＰＥＧプライベートセクション構文に準拠したテーブルセットである付加的なサービス情報（Ｓｅｒｖｉｃｅ  Ｉｎｆｏｒｍａｔｉｏｎ、ＳＩ）をＴＳ内に組み込むことができる。これにより、受信機デバイスは、ＴＳ内部に含まれているデータを正確に処理することができるようになる。
【００１６】
しかしながら、本発明の態様はまた、例えばＴ−ＤＡＢ、Ｔ／Ｓ−ＤＭＢ、ＩＳＤＢ−Ｔ、ＡＴＳＣ、ＭｅｄｉａＦＬＯなどの他の従来のデジタルモバイル放送システム、並びに３ＧＧＰ  ＭＢＭＳ及び３ＧＰＰ２ＢＣＭＣＳなどの非従来的なシステムにも適用可能である。
【００１７】
放送ネットワーク１１４は、ＤＶＢ−Ｈを介したＩＰデータキャストの無線伝送を含むことができる。放送ネットワーク１１４は、送信機１１８を介してデジタル又はアナログテレビ放送信号などのサービス及び該サービスに関連する補足コンテンツを放送することができる。放送ネットワークはまた、ラジオ、テレビ、又はＩＰデータキャスティング放送ネットワークを含むこともできる。放送ネットワーク１１４はまた、テレビ放送信号、オーディオ及び／又はビデオストリーム、データストリーム、ビデオファイル、オーディオファイル、ソフトウェアファイル、及び／又はビデオゲームを含むことができる補足コンテンツも送信することができる。ＩＰデータキャストサービスを伝送する場合、サービスソース１２２は、実際の番組コンテンツを放送ネットワーク１１４を通じてユーザデバイス１１２に通信し、実際の番組コンテンツに関するユーザの権利及びアクセス情報などの付加的情報をセルラーネットワーク１１６を通じて通信することができる。
【００１８】
モバイルデバイス１１２はまた、セルラーネットワーク１１６を通じてサービスソース１２２にコンタクトをとることもできる。セルラーネットワーク１１６は、無線ネットワーク及び基地局送信機１２０を含むことができる。セルラーネットワークは、第２／第３世代（２Ｇ／３Ｇ）セルラーデータ通信ネットワーク、移動体通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎｓ  ｎｅｔｗｏｒｋ、ＧＳＭ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、又はＷＬＡＮネットワークなどの他の無線通信ネットワークを含むことができる。
【００１９】
本発明の一態様では、モバイルデバイス１１２は、セルラーネットワーク１１６内でデジタル無線通信を送受信するように構成された無線インタフェースを含むことができる。セルラーネットワーク１１６又は放送ネットワーク１１４を通じてモバイルデバイス１１２により受信される情報は、ユーザ選択、アプリケーション、サービス、電子画像、オーディオクリップ、ビデオクリップ、及び／又はＷＴＡＩ（Ｗｉｒｅｌｅｓｓ  Ｔｅｌｅｐｈｏｎｙ  Ａｐｐｌｉｃａｔｉｏｎ  Ｉｎｔｅｒｆａｃｅ、ワイヤレステレフォニーアプリケーションインタフェース）メッセージを含むことができる。受信機デバイスがセルラーネットワーク１１６の管理ドメイン内に配置されている間、セルラーネットワーク１１６の一部分として、１つ又はそれ以上の基地局（示されていない）が受信側デバイス１１２とのデジタル通信をサポートすることができる。
【００２０】
図２に示されるように、モバイルデバイス１１２は、ユーザインタフェース１３０、メモリ１３４及び／又は他の記憶装置、並びにディスプレイ１３６に接続されたプロセッサ１２８を含むことができる。モバイルデバイス１１２はまた、バッテリー１５０、スピーカ１５２、及びアンテナ１５４を含むことができる。ユーザインタフェース１３０は更に、キーパッド、タッチスクリーン、音声インタフェース、４方向矢印キー、ジョイスティック、データグローブ、マウス、ローラボール、タッチスクリーン、又は同様のものを含むことができる。
【００２１】
モバイルデバイス１１２内のプロセッサ１２８及び他の構成要素により使用されるコンピュータ実行可能命令及びデータは、コンピュータ読み出し可能メモリ１３４内に格納することができる。メモリは、任意選択的に揮発性及び不揮発性メモリの両方を含む、読み出し専用メモリモジュール又はランダムアクセスメモリモジュールのあらゆる組み合わせで実施することができる。ソフトウェア１４０は、メモリ１３４及び／又は記憶装置内に格納され、モバイルデバイス１１２が様々な機能を実行することができるようにプロセッサ１２８に命令を提供することができる。或いは、モバイルデバイス１１２のコンピュータ実行可能命令の一部又は全ては、ハードウェア又はファームウェア（示されていない）において具現化することができる。
【００２２】
モバイルデバイス１１２は、例えばＤＶＢ−Ｈ、ＤＶＢ−Ｔ、又はＤＶＢ−ＭＨＰなどのデジタルテレビ放送（ＤＶＢ）規格に基づくデジタルブロードバンド放送の伝送を特定のＤＶＢ受信機１４１を通じて受信、復号、及び処理するように構成することができる。モバイルデバイスはまた、デジタルブロードバンド放送伝送のための他のタイプの受信機を備えることができる。更に、受信機デバイス１１２はまた、ＦＭ／ＡＭラジオ受信機１４２、ＷＬＡＮトランシーバ１４３、及び通信トランシーバ１４４を通じて伝送を受信、復号、及び処理するように構成することができる。本発明の一態様では、モバイルデバイス１１２は、無線データストリーム（ＲＤＳ）メッセージを受信することができる。
【００２３】
ＤＶＢ規格の実施例では、１回のＤＶＢ  １０Ｍｂｉｔ／ｓ伝送が、２００個の５０−ｋｂｉｔ／ｓオーディオ番組チャンネル又は５０個の２００−ｋｂｉｔ／ｓビデオ（ＴＶ）番組チャンネルを有することができる。モバイルデバイス１１２は、携帯機器向けデジタルテレビ放送（ＤＶＢ−Ｈ）規格、或いはＤＶＢ−ＭＨＰ、ＤＶＢ−Ｓａｔｅｌｌｉｔｅ（ＤＶＢ−Ｓ）、ＤＶＢ−Ｔｅｒｒｅｓｔｒｉａｌ（ＤＶＢ−Ｔ）、又はＤＶＢ−Ｃａｂｌｅ（ＤＶＢ−Ｃ）などの他のＤＶＢ規格に基づいて伝送を受信、復号、及び処理するように構成することができる。同様に、ＡＴＳＣ（Ａｄｖａｎｃｅｄ Ｔｅｌｅｖｉｓｉｏｎ  Ｓｙｓｔｅｍｓ Ｃｏｍｍｉｔｔｅｅ）、ＮＴＳＣ（Ｎａｔｉｏｎａｌ Ｔｅｌｅｖｉｓｉｏｎ  Ｓｙｓｔｅｍ Ｃｏｍｍｉｔｔｅｅ）、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＡＢ（Ｄｉｇｉｔａｌ  Ａｕｄｉａ  Ｂｒｏａｄｃａｓｔｉｎｇ、デジタルオーディオ放送）、ＤＭＢ（Ｄｉｇｉｔａｌ  Ｍｕｌｔｉｍｅｄｉａ  Ｂｒｏａｄｃａｓｔｉｎｇ、デジタルマルチメディア放送）、ＦＬＯ（Ｆｏｒｗａｒｄ  Ｌｉｎｋ  Ｏｎｌｙ）、又はＤＩＲＥＣＴＶなど、他のデジタル伝送フォーマットを代替的に用いて、コンテンツ及び補足サービスの可用性の情報を配信することができる。更に、デジタル伝送は、ＤＶＢ−Ｈ技術などにおいて、タイムスライシングすることができる。タイムスライシングにより、モバイル端末の平均電力消費を低減することができ、滑らかでシームレスなハンドオーバを可能にすることができる。タイムスライシングは、データが従来のストリーミングメカニズムを用いて伝送される場合に必要とされるビットレートと比べて、より高い瞬間ビットレートを用いてバーストでデータを送信する段階からなる。この場合、モバイルデバイス１１２は、タイムスライシングされた復号伝送を表示する前に格納するための１つ又はそれ以上のバッファメモリを有することができる。
【００２４】
本発明の１つの実施例では、ＥＳＧフラグメントは、１つ又はそれ以上のデータストリーム又はチャンネルにおいて加入者端末に配信することができる。この実施例では、（ＩＰパケットストリームなどの）複数のチャンネルを用いて、ＥＳＧ情報を加入者端末に配信することができる。例えば、ＥＳＧフラグメントは、サービスプロバイダにより提供されることになる次のイベントの通知、サービスプロバイダにより提供される現在のイベントの変更、或いはユーザ又はユーザグループに関する更新又は進行中の情報を加入者端末に提供することができる。
【００２５】
ＥＳＧフラグメントは、ＥＳＧ情報をコンテナで伝送することができるトランスポートオブジェクトで配信することができる。従って、ＥＳＧフラグメントは、自己のトランスポートオブジェクトで配信することができるコンテナ内に配置することができる。コンテナは更に、コンテナヘッダとコンテナペイロードとを含むことができ、例えば、コンテナヘッダは、各コンテナがトランスポートオブジェクト内のどこに配置されているかに関する情報を提供することができる。１つの実施例では、トランスポートオブジェクトは、単一のコンテナ又は複数のコンテナを含むことができ、各コンテナは、少なくとも１つのＥＳＧフラグメントを含む。図３は、本発明の少なくとも一態様による例示的なトランスポートオブジェクトの図である。図３の実施例に示されるように、トランスポートオブジェクト３００は、コンテナヘッダ３１０及びコンテナペイロード３２０を含むことができるコンテナを含むことができる。１つの実施例では、コンテナヘッダ３１０及びコンテナペイロード３２０は単一コンテナ３０５内に組み込まれ、該コンテナは単一のトランスポートオブジェクト３００内に組み込むことができるので、コンテナヘッダ３１０は、各コンテナが異なるトランスポートオブジェクト内でどこに配置されているかに関する情報と再結合される必要がないようになる。或いは、トランスポートオブジェクト３００は、複数のコンテナを含むことができ、１つのコンテナが、幾つかの数のＥＳＧフラグメント３４０を含むことができる。コンテナヘッダ３１０は、例えば、コンテナヘッダ３１０自体及び／又はコンテナペイロード３２０に関する情報などの対応するＥＳＧフラグメントに関連する情報を含むことができる。
【００２６】
図３に示される実施例では、ＥＳＧフラグメント３４０はコンテナペイロード３２０内に含まれる。コンテナヘッダ３１０は、対応するコンテナペイロード３２０内にＥＳＧフラグメントを識別し記述する記述子を含むことができる。従って、限定ではないが、トランスポートオブジェクト３００内のＥＳＧフラグメントの位置又は含まれる各ＥＳＧフラグメント３４０の長さといったＥＳＧフラグメントの特性を識別することができる。例えば一実施形態では、フィールドが、例えばオフセット値、始点及び終点、又は同様のものを提供することでコンテナペイロード３２０内で特定のＥＳＧフラグメントが始まる場所を指定する。別の実施形態では、メタデータ３５０は、個々のＥＳＧフラグメント３４０に関連付けられ、ヘッダ３１０、記述子エントリ、ＥＳＧフラグメント３４０、又はこれらの組み合わせ内又はこれらに近接して配置することができる。１つの例示的な実施形態では、３ＧＰＰメタデータエンベロープをＥＳＧフラグメントに関連付けることで、この特定のＥＳＧフラグメントに関連してヘッダ３１０内に追加のメタデータを配置することの代替とするか、その配置の必要性を排除することができる。
【００２７】
図４は、複数の単一トランスポートオブジェクトを送信する実施例を示している。図４に示されるように、本発明のトランスポートオブジェクト（ＴＯ）は、例えば、ＦＬＵＴＥ（Ｆｉｌｅ  Ｄｅｌｉｖｅｒｙ  ｏｖｅｒ  Ｕｎｄｉｒｅｃｔｉｏｎａｌ  Ｔｒａｎｓｐｏｒｔ）セッション又はピュア非同期階層符号化（Ａｓｙｎｃｈｎｏｎｏｕｓ  Ｌａｙｅｒｅｄ  Ｃｏｄｉｎｇ、ＡＬＣ）セッションで搬送することができる。図４の実施例では、ＩＰアドレス、ポート番号、及びトランスポートセッション識別子（Ｔｒａｎｓｐｏｒｔ  Ｓｅｓｓｉｏｎ  Ｉｄｅｎｔｉｆｉｅｒ、ＴＳＩ）などのＥＳＧルートチャンネルデータは、ＩＰ／ＭＡＣ通知テーブル（ＩＮＴテーブル）において通知され、例えば、ＤＶＢ−ＨのＳＩテーブルの１つとしてＤＶＢ−ＨのＳＩ／ＰＳＩストリームにおいて搬送することができる。ＥＳＧルートチャンネルのＦＬＵＴＥセッションは、セッションのファイル転送テーブル（Ｆｉｌｅ  Ｄｅｌｉｖｅｒｙ  Ｔａｂｌｅ、ＦＤＴ）及び１つ又はそれ以上のトランスポートオブジェクト（ＴＯ）を含む。通知カルーセルで配信することができるこれらのトランスポートオブジェクトは、ＥＳＧの様々な部分と、ＥＳＧデータが伝送される様々なＥＳＧ方法へのアクセスパラメータとの間のマッピングを含む。ＥＳＧは、互いに異なるものであってよい。例えば、ＥＳＧは、異なる言語、ジャンル、符号化とすることができる。
【００２８】
アクセスパラメータの実施例は、例えば、ＩＰアドレス、ポート番号、ＴＳＩ、開始及び終了時間、その他を含むことができる。従って、ＦＬＵＴＥセッションは、ＥＳＧデータが異なるセッションにどのように配分されるかを宣言する。このマッピングデータを搬送するＦＬＵＴＥセッションのＴＯは、ＦＬＵＴＥセッションのＦＤＴ内に記述される。ＥＳＧマッピングデータは、１つ又は複数のＴＯで配信することができる。マッピングは、ＸＭＬスキーマ、プレーンＡＳＣＩＩテキスト、マルチパートＭＩＭＥ又はＭＩＭＥヘッダなどの構造化ＡＳＣＩＩテキストを列挙型のバイナリとして用いて、或いは当該技術分野で周知の他の種々の手段により行うことができる。この実施例のＥＳＧデータは、例えばピュアＡＬＣセッション内とすることができる１つ又はそれ以上のＴＯで配信することができる。ＥＳＧデータ又はその一部分は、本発明の幾つかの実施形態では、ＡＬＣセッションに加えて又はその代わりに１つ又はそれ以上のＦＬＵＴＥセッションで配信することができる。
【００２９】
モバイル端末又は受信機は、複数の番組又はサービス及び複数の関連のＥＳＧフラグメントを受信することができる。異なるＥＳＧフラグメントは、異なるサービス、番組、又はコンテンツを提供することができる。更に、異なるＥＳＧフラグメント或いはこれらの関連の番組又はサービスに関連付けられた様々なプロビジョニング情報が存在することができる。モバイル端末又は受信機で受信される複数のＥＳＧフラグメントが存在する場合には、モバイル端末又は受信機は、受信するために所望のＥＳＧフラグメントを選択することができる。例えば、２つのサービスプロバイダが対応するＥＳＧフラグメントを各々提供する場合、モバイル端末又は受信機は、２つの受信ＥＳＧフラグメント間で選択することになる。
【００３０】
異なるＥＳＧフラグメントは、範囲及び詳細において様々とすることができる。図示の１つの実施例では、ＥＳＧフラグメントの１つは、対応する番組又はサービスに関する基本情報を含むことができる。基本情報は、例えば、番組名又は番組の放送時間を含むことができる。他のＥＳＧフラグメントは、より詳細な情報を含むことができる。例えば、他方のより詳細なＥＳＧフラグメントは、俳優の経歴、その番組に関わった俳優又は他の人たちとのインタビュー、双方向サービス、その他に関する情報を含むことができる。このように、送受信されるＥＳＧフラグメントに応じて様々な情報を提供することができる。
【００３１】
異なるＥＳＧフラグメントは、アクセス可能性においても異なることができる。例えば、第１ＥＳＧフラグメントは、番組についての基本情報を含むことができ、加入者にとって無料とすることができる。しかしながら、番組に関するより詳細な情報（俳優の経歴、その他）を含む第２ＥＳＧフラグメントは、手数料を支払った場合にのみ利用可能とすることができる。この実施例では、ＥＳＧフラグメントは更に、適切な場合には購入情報も含むことができる。
【００３２】
ＥＳＧフラグメントは更に、有効性及び可用性に基づいて異なることができる。１つのＥＳＧフラグメントを特定の日時の間利用可能とすることができ、別のＥＳＧフラグメントは、異なる日時の間利用可能とすることができる。この情報（すなわち有効性情報）は更に、対応するＥＳＧフラグメントに含めることができる。
【００３３】
図５は、端末又は受信機に送信される複数のＥＳＧフラグメントの１つの実施例を示している。この実施例では、ｎ個のＥＳＧプロバイダが示されており（１−ｎ）、各々が対応するＥＳＧフラグメントを送信する。例えば、モバイル端末５０５に対し、ＥＳＧプロバイダ１（５０１）はＥＳＧ１０及びＥＳＧ１１を提供し、ＥＳＧプロバイダ２（５０２）はＥＳＧフラグメント２０、２１及び２２を提供し、ＥＳＧプロバイダｎ（５０３）はＥＳＧｎ１及びｎ２を提供する。この実施例では、モバイル端末５０５は、利用可能なＥＳＧフラグメントから所望のＥＳＧフラグメントを選択することができる。従って、モバイル端末５０５は、ＥＳＧ１０、１１、２０、２１、２２、．．．ｎ１、及びｎ２から所望のＥＳＧフラグメントを選択することができる。例えば、モバイル端末５０５は、利用可能なサービスを見つけるために周波数帯域を走査することができる。利用可能なＥＳＧフラグメントにより示される利用可能なサービスに基づいて、モバイル端末５０５は、所望のＥＳＧを選択することができる。
【００３４】
図６は、ＥＳＧプロバイダからの受信ＥＳＧフラグメントを管理するためにブートストラップＥＳＧが提供される本発明の実施例を示している。この実施例では、各々が範囲が異なった複数のＥＳＧプロバイダが、対応するＥＳＧフラグメントを送信している。例えば、ＥＳＧプロバイダ１（５０１）は、ＥＳＧ１０及びＥＳＧ１１を送信し、ＥＳＧプロバイダ２（５０２）はＥＳＧ２０、ＥＳＧ２１及びＥＳＧ２２を送信する。あらゆる数のＥＳＧフラグメントを提供するあらゆる数のＥＳＧプロバイダが可能である。図６に示されている実施例では、ｎ個のＥＳＧプロバイダが存在する。ＥＳＧプロバイダｎ（５０３）は、ＥＳＧｎ１及びＥＳＧｎ２をモバイル端末５０５に送信する。
【００３５】
また、この実施例において、個々のＥＳＧフラグメントの可用性又は範囲についての情報をユーザに提供することができるブートストラップＥＳＧ５０４が提供される。ブートストラップＥＳＧ５０４は、ＥＳＧプロバイダからの受信ＥＳＧフラグメントの各々に関する情報を含むので、モバイル端末５０５は、ブートストラップＥＳＧ５０４内の情報にアクセスして個々のＥＳＧフラグメント（本明細書では「２次ＥＳＧフラグメント」とも呼ばれる）に関する情報を取得することができるようになる。ブートストラップＥＳＧ５０４内の情報は、例えば、識別情報（例えばオペレータＩＤ）、ＥＳＧフラグメント又は対応するＥＳＧプロバイダのＩＰアドレス又はポート番号、ＥＳＧの購入情報（例えばＥＳＧが、全員無料か、登録ユーザのみ無料か、又はＥＳＧの利用料金があるかどうか）、ＥＳＧに関連付けられた購入経路（例えばＥＳＧ購入へのアクセス）、ＥＳＧのＵＲＩ、サービスプロバイダ識別子、ＥＳＧフラグメントの最終更新、ＥＳＧフラグメントの次の予想される更新、対応する各ＥＳＧフラグメントの有効日又は時間を含むことができる。この実施例では、モバイル端末５０５が所望のＥＳＧフラグメントを識別することができる。例えば、モバイル端末５０５は、特定のＥＳＧプロバイダから特定の時間又は日付の間に有効な特定のＥＳＧフラグメントを受信することを所望する場合がある。ブートストラップＥＳＧ５０４にアクセスすることにより、モバイル端末５０５にはそこから選択するための２次ＥＳＧフラグメントに関する情報が提供される。更に、図６の要素５０６で示されるように、ブートストラップＥＳＧ５０４内を参照することなく、必要に応じてあらゆるＥＳＧフラグメントをモバイル端末５０５に直接配信することができる。
【００３６】
更に、ブートストラップ５０４内のＥＳＧフラグメントについての情報を使用してモバイル端末５０５内の情報を更新することができる。モバイル端末がＥＳＧフラグメントに関する現在の情報を含むことができるように、更新された情報をブートストラップＥＳＧ５０４から受信することができる。１つの実施例では、モバイル端末５０５内のＥＳＧフラグメントの更新を継続的に行い、最新情報を提供することができる。この実施例では、モバイル端末５０５は、対応するＩＰアドレスをリスンすることで、ブートストラップＥＳＧ５０４に関連付けられたＩＰアドレスをモニタすることができる。例えば、ブートストラップＥＳＧ５０４内のＥＳＧフラグメントの１つで更新情報が利用可能なときには、更新情報をモバイル端末に送信することができ、該モバイル端末は、更新情報を受信することができる。或いは、ブートストラップＥＳＧ５０４内のＥＳＧフラグメント情報は、更新が通知されたとき、又は更新が予想されるときに更新することができる。
【００３７】
更に、ブートストラップＥＳＧ５０４内の情報は、個々のＥＳＧプロバイダから更新することができる。例えば、ブートストラップＥＳＧ５０４は、更新された情報を対応するＥＳＧプロバイダから入手可能な場合には受信することができる。或いは、更新情報は定期的に送信してもよい。
【００３８】
ブートストラップＥＳＧ５０４は様々な方法で提供することができる。１つの実施例では、１つのＥＳＧプロバイダがブートストラップＥＳＧ５０４を提供することができる。この実施例では、異なるＥＳＧプロバイダが、ブートストラップＥＳＧ５０４を提供するＥＳＧプロバイダのうちの１つを指定することに同意することができる。ブートストラップＥＳＧ５０４を提供するためのＥＳＧプロバイダが選択された後、ＥＳＧプロバイダは、必要なＥＳＧフラグメント又はＥＳＧデータへのリンクを指定のＥＳＧプロバイダに提供する。ＥＳＧプロバイダは更に、ＥＳＧフラグメントとＥＳＧフラグメントへのリンクとの組み合わせを提供することができる。受信される情報に基づいて、指定されたＥＳＧプロバイダは、ブートストラップＥＳＧを提供する。或いは、ブートストラップＥＳＧ５０４を提供する別個のエンティティを選出してもよい。例えば、ブートストラップＥＳＧ５０４を提供するためにＥＳＧアグリゲータを選択することができる。ＥＳＧプロバイダは、必要なＥＳＧフラグメントデータをＥＳＧアグリゲータに提供することができる。ＥＳＧアグリゲータは、例えば、オペレータ識別情報、ＩＰアドレス−ポート番号、その他を含むようにブートストラップＥＳＧ５０４を生成することができる。あらゆるエンティティがＥＳＧアグリゲータとして役目を果たすことができる点に注意されたい。別の実施例として、ＥＳＧアグリゲータは、データキャストオペレータ（すなわち、異なるオペレータ又はサービスプロバイダのサービスを配信するネットワークオペレータ）とすることができる。
【００３９】
ブートストラップＥＳＧ５０４は、サービス発見方法を用いることでモバイル端末５０５が識別することができる。例えば、ブートストラップＥＳＧは、固定ＩＰアドレス及び／又はポート番号を有することができる。この実施例では、ブートストラップＥＳＧ５０４は、識別子情報を含むデータテーブル及び／又は記述子を含むことができる。このような識別子情報は、例えば、ブートストラップＥＳＧ５０４のＩＰアドレスを記述する文字ストリング記述子要素を含むことができる。また、ブートストラップＥＳＧ５０４は、ポートアドレスの識別子を含むことができる。モバイル端末５０５は、ブートストラップＥＳＧ５０４の識別子情報をサーチすることができ、ブートストラップＥＳＧ５０４の有無を判断することができる。ブートストラップＥＳＧ５０４で提供される情報に基づいて、モバイル端末５０５は、ブートストラップＥＳＧ５０４を識別することができる。
【００４０】
従って、本実施例では、モバイル端末５０５が、ブートストラップＥＳＧ５０４に対応するＩＰアドレス又はポートアドレスを記述することができるブートストラップＥＳＧ５０４内のパラメータを識別することにより、ブートストラップＥＳＧ５０４を識別することができる。ブートストラップＥＳＧ５０４は、ＥＳＧサービスプロバイダ（５０１、５０２、５０３）からの更新されたＥＳＧフラグメント情報を含むことができる。この情報は、継続的に更新されるか又は定期的に更新され、或いは更新が通知されたとき又は更新が予想されるときに更新することができる。ブートストラップＥＳＧ５０４は更に、モバイル端末５０５に情報を提供することができる。例えば、ブートストラップＥＳＧ５０４は、オペレータに関する識別子又は記述情報、ＩＰアドレス−ポート番号、購入情報（例えば、購入又はＥＳＧへの加入に関する情報）、サービスプロバイダ識別子、その他を提供することができる。
【００４１】
モバイル端末５０５は、モバイル端末５０５に既に含まれている情報をブートストラップＥＳＧ５０４からの更新された情報で更新することができる。この実施例では、ブートストラップＥＳＧ５０４から所望のＥＳＧフラグメントが選択され、モバイル端末５０５にダウンロードされる。モバイル端末５０５のユーザは、利用可能なＥＳＧフラグメントのリストを見ることができ、更に、リストから所望のＥＳＧフラグメントを選択することができる。１つの実施例では、異なるタイプのＥＳＧフラグメントをあらゆる数の識別記号、色、その他によって識別することができる。例えば、無料のＥＳＧは、購入可能なＥＳＧとは異なる色又はフォントで表示することができる。
【００４２】
更に、モバイル端末５０５のユーザはまた、ブートストラップＥＳＧ５０４を要求することができる。この実施例では、モバイル端末５０５のユーザが、対応するＩＰアドレスとポート番号の組み合わせを指定することにより、ブートストラップＥＳＧ要求を送信することができる。モバイル端末５０５のユーザは、要求に応答してアクセスパラメータを受信することができる。受信されるアクセスパラメータに基づいて、モバイル端末５０５は、モバイル端末を対応する通知チャンネルに同調させて、所望のＥＳＧフラグメントを受信するための情報を受け取ることができる。或いは、モバイル端末５０５のユーザはまた、セルラー放送を受信して、所望のブートストラップＥＳＧ５０４のアクセス情報を受け取ることもできる。
【００４３】
上述のように、ブートストラップＥＳＧは、ＥＳＧフラグメントに関する情報（例えば２次ＥＳＧフラグメント）を含むことができる。更に、ＥＳＧフラグメントを他のＥＳＧフラグメント内に入れ子し、ＥＳＧフラグメントが別のＥＳＧフラグメントに関する情報を含むことができるようにする。更に、ブートストラップＥＳＧが、別のブートストラップＥＳＧに関する情報を含むこともできる。図７は、ＥＳＧフラグメントとブートストラップＥＳＧフラグメントとの間の階層関係の実施例を示すブロック図である。図７に示すように、ブートストラップＥＳＧ６０１は、２つのＥＳＧフラグメントＥＳＧ１（６０２）及びＥＳＧ２（６０３）に関する情報を参照し又は含む。ブートストラップＥＳＧ６０１はまた、例えば更新が通知又は予想されたときに情報を更新することにより、或いはＥＳＧプロバイダのＩＰアドレスをリスンして更新された情報をダウンロードすることにより、必要に応じてＥＳＧ１（６０２）及びＥＳＧ２（６０３）に関する情報を更新することもできる。ブートストラップＥＳＧ６０１において格納され提供される情報は、例えば、ＥＳＧに関する識別子情報、ＩＰアドレス−ポート番号、又は他の情報を含むことができる。更に、ブートストラップＥＳＧ６０１はまた、例えば、モバイル端末のユーザがブートストラップＥＳＧを識別することができるように、記述子として又はデータテーブル内にＩＰアドレス及びポート番号を含むこともできる。
【００４４】
図７に示される実施例では、ＥＳＧ１は更に、追加のＥＳＧに関する情報を含む。図示されるように、ＥＳＧ１は、ＥＳＧ１０（６０４）及びＥＳＧ１１（６０５）に情報を提供する。従って、この実施例では、ＥＳＧ１０（６０４）及びＥＳＧ１１（６０５）は、ＥＳＧ１のサブセットとすることができる。この実施例で同様に図示されているように、ＥＳＧ１１（６０５）は、ＥＳＧ１１（６０５）のサブセットであるＥＳＧ１１０（６０６）に関する情報を含むことができる。あらゆるＥＳＧが他のあらゆるＥＳＧからのデータを含むことができる。例えば、階層のより下位のＥＳＧは、階層のより上位のどのようなＥＳＧからのデータも含むことができる。この実施例を例証するために、ＥＳＧ１０（６０４）又はＥＳＧ１１（６０５）のいずれもが、ＥＳＧ２（６０３）などのＥＳＧの直接的な連鎖内には存在しない階層がより上位の他のＥＳＧからのデータを含むことができる。同様に、ＥＳＧは、階層がより下位のあらゆるＥＳＧからのデータを含むことができる。例えば、ＥＳＧ２（６０３）はＥＳＧ１１０（６０６）からのデータを含むことができる。
【００４５】
更に、ＥＳＧは、他のあらゆるＥＳＧに関する情報を含むことができる。１つの実施例では、階層がより上位のＥＳＧは、階層がより下位のあらゆるＥＳＧに関する情報を含むか、又はこれを参照することができる。この実施例を例証するために、ブートストラップＥＳＧ６０１は、ＥＳＧ１０（６０４）又はＥＳＧ１１（６０５）に関する情報を含むことができる。この実施例では、ＥＳＧは、階層内で１レベルよりも多く下位にある他のＥＳＧフラグメントに関する情報を含むようにレベルをスキップする。或いは、階層の異なる枝にあるＥＳＧは、他のＥＳＧに関する情報を含むことができる。例えば実施例として、ＥＳＧ２（６０３）は、ＥＳＧ１０（６０４）、ＥＳＧ１１（６０５）、又はＥＳＧ１１０（６０６）に関する情報を含むことができる。
【００４６】
別の実施例では、あらゆるＥＳＧがブートストラップＥＳＧであってもよく、他のＥＳＧフラグメントの範囲又は詳細に関する情報を提供することができる。例えば、階層がより下位のＥＳＧをブートストラップＥＳＧとすることもできる。図６で例示しているように、ＥＳＧ１（６０２）もまた、ＳＧ１０（６０４）又はＥＳＧ１１（６０５）に情報を提供するブートストラップＥＳＧとすることができる。
【００４７】
図８は、ＥＳＧフラグメント階層の別の実施例を示している。この実施例では、ブートストラップＥＳＧ７０１がブートストラップＥＳＧ通知チャンネル７１１を介して送信される。ブートストラップＥＳＧに関する情報が、モバイル端末のユーザに提供される。この情報は、例えば、ブートストラップＥＳＧ７０１自体の識別子情報、又はブートストラップＥＳＧへのアクセス方法を含むことができる。同様に、ブートストラップＥＳＧ７０１が参照する又はブートストラップＥＳＧ７０１が情報を含むＥＳＧは、ブートストラップＥＳＧ配信チャンネル７１６を介してモバイル端末のユーザに提供することができる。この実施例では、ブートストラップＥＳＧ７０１が、ＥＳＧ（ＥＳＧ１（７０２）、ＥＳＧ２（７０３）、ＥＳＧｎ（７０４））に関する情報を含む。ブートストラップＥＳＧが情報を含むＥＳＧの各々は、ＥＳＧ通知チャンネル内に情報を含むことができる。例えば、ＥＳＧ１（７０２）は、ＥＳＧ通知チャンネル７１２で情報を提供することができる。この情報は、例えば、ＥＳＧ１の識別子情報又はＥＳＧ１へのアクセスに関する情報を含むことができる。同様に、ＥＳＧ２の識別子又はアクセス情報は、ＥＳＧ通知チャンネル７１３を介して提供することができる。
【００４８】
図８に示すように、ＥＳＧ１（７０２）及びＥＳＧ２（７０３）の各々は、他のＥＳＧに関する情報を含むことができる。ＥＳＧ１（７０２）は、ＥＳＧ配信チャンネルを通じて配信することができる、ＥＳＧ１０（７０５）、ＥＳＧ１１（７０６）、及びＥＳＧ１ｎ（７０７）を含むｎ個のＥＳＧに関する情報を含み、ＥＳＧ２（７０３）は、ＥＳＧ２０（７０８）、ＥＳＧ２１（７０９）、及びＥＳＧ２ｋ（７１０）を含む、ｋ個のＥＳＧに情報を提供する。ＥＳＧ１０（７０５）、ＥＳＧ１１（７０６）、及びＥＳＧ１ｎ（７０７）は、ＥＳＧ配信チャンネル７１４を通じて配信することができる。同様に、ＥＳＧ２０（７０８）、ＥＳＧ２１（７０９）、及びＥＳＧ２ｋ（７１０）は、ＥＳＧ配信チャンネル７１５を通じて配信することができる。
【００４９】
別の実施例では、ＥＳＧ１（７０３）は、ＥＳＧ１０（７０５）、ＥＳＧ１１（７０６）、及びＥＳＧ１ｎ（７０７）などの他のＥＳＧを通知又は宣言することができる第２レベルのブートストラップＥＳＧとすることができる。例えば、ＥＳＧ１は、生放送のアイスホッケーの試合に対応するＥＳＧ１０（７０５）と、年齢が少なくとも１２歳のペアレントレーティングを有する全ての映画に対応するＥＳＧ１１（７０６）とに関する情報を含むことができる番組サービス対応のＥＳＧとすることができる。
【００５０】
図９は、ＥＳＧの構成の別の実施例を示している。この実施例では、サービスプロバイダ９０１は、幾つかのセルラーオペレータにＥＳＧデータを提供する。図示するように、サービスプロバイダ９０１は、セルラーオペレータ１（９０２）及びセルラーオペレータ２（９０３）にＥＳＧデータを提供する。各セルラーオペレータ（９０２及び９０３）は、自己のプロビジョニングフラグメント（９０４及び９０７のそれぞれ）を提供する。プロビジョニングフラグメントは、購入項目（９１０、９１８）、購入データ（９１１、９１９）、及び購入経路（９１２、９２０）を含む。しかしながら、各セルラーオペレータ（９０２及び９０３）はまた、それぞれのコア（９０５、９０８）及びアクセス（９０６、９０９）フラグメントも提供する。コアフラグメント（９０５、９０８）は、それぞれのサービスフラグメント（９１３、９２１）、スケジュールフラグメント（９１４、９２２）、及びコンテンツフラグメント（９１５、９２３）を含み、アクセスフラグメント（９０６、９０９）は、それぞれのアクセスフラグメント（９１６、９２４）及びセッション記述フラグメント（９１７、９２５）を含む。
【００５１】
この実施例では、ＥＳＧデータが単一のサービスプロバイダ９０１からのものであり、従って、両方のセルラーオペレータ（９０２、９０３）に共通である。しかしながら、各セルラーオペレータ（９０２、９０３）が、異なる購入要件を有する可能性があるので、セルラーオペレータの各々（９０２、９０３）は異なるプロビジョニングフラグメント（９０４、９０７）を有することもできる。従って、この実施例では、ブートストラップＥＳＧ９２９が、２つのセルラーオペレータ（９０２、９０３）に共通したＥＳＧフラグメントを１つのＥＳＧフラグメント内に含む（例えば、それぞれのサービス、スケジュール、コンテンツ、アクセス、及びセッション記述フラグメント）共通ＥＳＧフラグメント９２８を宣言することができる。また、それぞれのプロビジョニングフラグメントの各々（９０４、９０７）は、プロビジョニングＥＳＧ１（９２６）及びプロビジョニングＥＳＧ２（９２７）などの別個のＥＳＧフラグメントにそれぞれ配置することができる。それぞれのプロビジョニングフラグメントを含むＥＳＧフラグメントは、図９に示されるように、ブートストラップＥＳＧ９２９により宣言され、又は参照されてもよい。
【００５２】
図１０は、本発明の実施形態によるブートストラップＥＳＧの別の実施例を示している。この実施例では、複数のサービスプロバイダが番組又はサービスに関するＥＳＧフラグメントを提供する。サービスプロバイダ１（１００１）は、対応する番組又はサービスに関する基本情報を提供する。これは、例えば、番組又はサービスの名前又は識別子を含むことができる。この情報は、共通プレーンＥＳＧ１００３内に含むことができる。サービスプロバイダ２（１００２）は、対応する番組又はサービスに関するより詳細な情報を提供する。この詳細情報は、例えば、俳優の経歴、インタビュー、双方向サービス、又はプロビジョニング情報を含むことができ、共通リッチＥＳＧ１００４内に含めることができる。ブートストラップＥＳＧ１００５は、共通プレーンＥＳＧ１００３及び共通リッチＥＳＧ１００４の両方を宣言し、又はこれらに関する情報を含むことができる。更に、ブートストラップＥＳＧ１００５は、対応する番組又はサービスに関するプロビジョニング情報に共通リッチＥＳＧ１００４を関連付けることができる。従って、モバイル端末は、ブートストラップＥＳＧ１００５にアクセスして個別のＥＳＧフラグメント（例えば共通プレーンＥＳＧ１００３又は共通リッチＥＳＧ１００４）を通じて特定の情報を取得することができる。別の実施例では、共通プレーンＥＳＧ１００３は、無料で利用可能とすることができ、共通リッチＥＳＧ１００４は、登録メンバーだけが利用可能か、或いは手数料を支払う場合にのみ利用可能とすることができる。いずれの場合でも、ブートストラップＥＳＧ１００５は、ＥＳＧフラグメント（共通プレーンＥＳＧ１００３及び共通リッチＥＳＧ１００４）に関する情報をモバイル端末に提供することができ、モバイル端末のユーザが所望の情報を選択することができるようにする。
【００５３】
図１１は、ブートストラップＥＳＧの別の実施例を示している。この実施例では、サービスプロバイダ１１０１が複数のセルラーオペレータ（例えばセルラーオペレータ１（１１０２）及びセルラーオペレータ２（１１０３））にＥＳＧデータを提供する。図示のセルラーオペレータの両方（１１０２、１１０３）が、単一のプロビジョニング情報セットを提供する。この情報は、共通リッチＥＳＧ１１０５に含めることができる。しかしながら、セルラーオペレータの各々（１１０２、１１０３）は、対応する番組又はサービスのコンテンツの異なる表現を提供する。コンテンツの異なる表現のデータは、図１１に示されるように共通プレーンＥＳＧ１１０５に含めることができる。従って、両方のセルラーオペレータ（１１０２、１１０３）は、（共通リッチＥＳＧ１１０５に含める）プロビジョニング情報の単一のセットを（共通プレーンＥＳＧ１１０４に含める）コンテンツの複数表現と関連付けることができる。購入データ及び購入項目（すなわちプロビジョニング情報）は、共通プレーンＥＳＧ１１０４内のサービスを参照することができる。ブートストラップＥＳＧ１１０６は、モバイル端末（示されていない）に対する共通リッチＥＳＧ１１０５及び共通プレーンＥＳＧ１１０４の両方に情報を提供する。従って、モバイル端末のユーザは、ＥＳＧフラグメントに関する情報を受け取り、対応する番組又はサービスのコンテンツ及びプロビジョニング情報を通知することが可能である。
【００５４】
ブートストラップＥＳＧは、モバイル端末に提供するためのサービスガイドデータを構築することが可能なあらゆる装置によって生成することができる。例えば、ブートストラップＥＳＧを提供するための装置又はシステムとして、ＥＳＧプロバイダ又はオペレータ或いはデータキャストオペレータを指定することができる。また、ブートストラップＥＳＧを提供するために個別の装置又はシステムを指定することができる。図１２は、ブートストラップＥＳＧを生成するための装置の実施例を示すブロック図である。この実施例では、ＥＳＧプロバイダなどの複数のソースからサービスガイドに関する情報を受け取りブートストラップＥＳＧを生成するために、ＥＳＧアグリゲータ１２００が設けられている。図１２に示されているＥＳＧアグリゲータ１２００は、サービスガイドデータソースからデータを受け取るための入力１２０１を含む。例えば、サービスプロバイダ又はＥＳＧプロバイダは、ＥＳＧデータフラグメント又はＥＳＧデータへのリンクをＥＳＧアグリゲータ１２００に送信することができる。ＥＳＧアグリゲータ１２００の入力１２０１は、データ又はデータへのリンクを受け取り、該データをブートストラップＥＳＧ内に含めることができる。
【００５５】
ＥＳＧアグリゲータ１２００はまた、データアグリゲータ１２０４を含むことができる。データアグリゲータ１２０４は、複数のサービスプロバイダ又は複数のオペレータからサービスガイド情報を受信することができる入力１２０１から情報を受け取ることができる。情報は、ブートストラップＥＳＧ内に含めることができる。例えば、オペレータ識別子は、第１オペレータから受け取られ、対応する番組又はサービスのサービスガイド情報を関連付けることができる。この情報は、入力１２０１で受け取ることができ、データアグリゲータ１２０４によりブートストラップＥＳＧ内に含めることができる。ＥＳＧアグリゲータ１２００は更に、オペレータ識別子及び関連するサービスガイド情報を第２オペレータから受け取ることができる。この情報は入力１２０１で受け取ることができ、同様にデータアグリゲータ１２０４によりブートストラップＥＳＧ内に含めることができる。図１２に示される実施例では、データアグリゲータ１２０４は、ブートストラップＥＳＧ内に含めるために、入力１２０１を介して受信されたサービスガイド情報を識別するための情報識別器１２０２を含む。サービスガイド情報は更に、ブートストラップＥＳＧ内に含めるためにメモリ１２０５内に格納することができる。或いは、サービスガイド情報は、ブートストラップフォーミュレータ１２０７に送信することができる。ブートストラップフォーミュレータ１２０７は、この実施例では、格納されたサービスガイド情報をメモリ１２０５から受け取ることができ、又はサービスガイド情報を情報識別器１２０２から受け取ることができる。
【００５６】
データアグリゲータ１２０４のブートストラップフォーミュレータ１２０７により、各ＥＳＧフラグメントに対応するあらゆる情報をブートストラップＥＳＧに含めることができる。例えば、データアグリゲータ１２０４のブートストラップフォーミュレータ１２０７は、ＥＳＧデータのソースに相当するＩＰアドレス−ポート番号、対応するＥＳＧ内の購入情報（例えばデータは、対応する番組又はサービスが無料かどうか、登録ユーザのみ利用可能か、又は手数料を支払う場合に利用可能か、その他を示すことができる）、ＥＳＧフラグメントのＵＲＩ、サービスプロバイダがオペレータと異なる場合にはサービスプロバイダ識別子、最終更新日又は時間、予想される次の更新日又は時間、有効性情報、その他を含むことができる。従って、複数のＥＳＧフラグメントからのデータは、データアグリゲータ１２０４のブートストラップフォーミュレータ１２０７によりブートストラップＥＳＧ内に含めることができる。
【００５７】
ＥＳＧアグリゲータ１２００は更に、ブートストラップＥＳＧをユーザ又は受信機に提供するための出力１２０３を含むことができる。記載のブートストラップＥＳＧは、複数のＥＳＧフラグメントからの情報を含むことができる。該情報は更に、ブートストラップＥＳＧ内で参照されるＥＳＧフラグメントを含むあらゆるＥＳＧフラグメントが、他のＥＳＧフラグメントを参照することができるように、階層構造で形成することができる。従って、出力１２０３は、ブートストラップＥＳＧ内の利用可能なＥＳＧフラグメントのリストを提供することができ、ユーザはこれから所望のＥＳＧフラグメントを選択することができる。例えば、所望のＥＳＧフラグメントは、オペレータ、サービスプロバイダ、有効な番組又はサービス、購入情報、その他を識別することができる。
【００５８】
図１３は、番組又はサービスに対応する所望のＥＳＧフラグメントを識別する実施例を示すフローチャートである。複数のＥＳＧフラグメントに関する情報を含むブートストラップＥＳＧを識別することができる。図１３に示される実施例のステップ１３０１では、ブートストラップＥＳＧに対応するＩＰアドレス及びポート番号が求められる。ＩＰアドレス及びポート番号に基づいて、ブートストラップＥＳＧが識別される（ステップ１３０２）。モバイル端末のユーザ又は加入者は、対応するＥＳＧフラグメントに関連付けられた特定の番組又はサービスを所望することができる。所望の番組又はサービスのＥＳＧフラグメントは、識別されたブートストラップＥＳＧ内に含めることができる。ステップ１３０３で、所望のＥＳＧフラグメントを識別するための基準が決定される。例えば、モバイル端末のユーザ又は加入者は、指定のオペレータ又はプロバイダからの番組、又は特定の無料番組、或いは購入可能な番組もしくはサービス、有効日又は時間の範囲内で有効な特定の番組又はサービス、その他を所望することができる。ブートストラップＥＳＧを構文解析し（ステップ１３０４）、ステップ１３０３により決定された基準に対応するＥＳＧフラグメントを求めることができる。ステップ１３０５では、決定された基準に対応する２次ＥＳＧフラグメント（すなわちブートストラップＥＳＧ又は別のＥＳＧにより参照されるＥＳＧフラグメント）をブートストラップＥＳＧ内で識別することができる。ステップ１３０６では、所望の２次ＥＳＧフラグメントが選択される。２次ＥＳＧフラグメントに関する情報は、例えば、モバイル端末にダウンロードすることができる。
【００５９】
加えて、２次ＥＳＧフラグメントは更に、他のＥＳＧフラグメントに関する情報を含み、又はこれを参照することができる。また、ブートストラップＥＳＧは、別の２次ＥＳＧフラグメントによっても参照されるＥＳＧフラグメントに関する情報を含み、又はこれを参照することができる。
【００６０】
本発明の実施形態は、本明細書で開示されるあらゆる新規の特徴又は特徴の組み合わせを明示的に含むか又はこれらのあらゆる一般形を含む。本発明の実施形態は、本発明を実施する種々の例示的形態を含む特定の実施例に関して説明してきたが、当業者であれば、上述のシステム及び技術の多くの変型及び置き換えが存在することは理解されるであろう。従って、本発明の精神及び範囲は、添付の請求項に記載されるように広く解釈されるべきである。
【図面の簡単な説明】
【００６１】
【図１】本発明の種々の態様を実施することができる無線通信システムのブロック図である。
【図２】本発明の１つ又はそれ以上の例示的な実施形態を実施することができる好適なデジタル放送受信機を示す図である。
【図３】本発明の１つ又はそれ以上の例示的な実施形態を実施することができるトランスポートオブジェクトの実施例の概略図である。
【図４】本発明の１つ又はそれ以上の例示的な実施形態を実施することができる単一トランスポートオブジェクトを伝送する実施例を示す図である。
【図５】本発明の１つ又はそれ以上の例示的な実施形態を実施することができるモバイル端末にサービスガイド情報を提供する実施例を示す図である。
【図６】本発明の１つ又はそれ以上の例示的な実施形態を実施することができるモバイル端末にサービスガイド情報を提供する別の実施例を示す図である。
【図７】本発明の１つ又はそれ以上の例示的な実施形態を実施することができるブートストラップＥＳＧ及びサービスガイド情報の階層構造の実施例を示す図である。
【図８】本発明の１つ又はそれ以上の例示的な実施形態を実施することができるブートストラップＥＳＧ及びサービスガイド情報の階層構造の別の実施例を示す図である。
【図９】本発明の１つ又はそれ以上の例示的な実施形態を実施することができるブートストラップＥＳＧでサービスガイド情報を提供する実施例を示す図である。
【図１０】本発明の１つ又はそれ以上の例示的な実施形態を実施することができるブートストラップＥＳＧでサービスガイド情報を提供する別の実施例を示す図である。
【図１１】本発明の１つ又はそれ以上の例示的な実施形態を実施することができるブートストラップＥＳＧでサービスガイド情報を提供する別の実施例を示す図である。
【図１２】本発明の１つ又はそれ以上の例示的な実施形態を実施することができるＥＳＧアグリゲータの実施例を示すブロック図である。
【図１３】本発明の１つ又はそれ以上の例示的な実施形態を実施することができるブートストラップＥＳＧ内で所望のＥＳＧを識別する実施例を示すフローチャートである。
【符号の説明】
【００６２】
６０１  ブートストラップＥＳＧ
６０２  ＥＳＧフラグメント（ＥＳＧ１）
６０３  ＥＳＧフラグメント（ＥＳＧ２）
６０４  ＥＳＧフラグメント（ＥＳＧ１０）
６０５  ＥＳＧフラグメント（ＥＳＧ１１）
６０６  ＥＳＧ１１のサブセット（ＥＳＧ１１０）
【図１】
2009515386.tif 000003
【図２】
2009515386.tif 000004
【図３】
2009515386.tif 000005
【図４】
2009515386.tif 000006
【図５】
2009515386.tif 000007
【図６】
2009515386.tif 000008
【図７】
2009515386.tif 000009
【図８】
2009515386.tif 000010
【図９】
2009515386.tif 000011
【図１０】
2009515386.tif 000012
【図１１】
2009515386.tif 000013
【図１２】
2009515386.tif 000014
【図１３】
2009515386.tif 000015
【国際調査報告】
2009515386.tif 000016
2009515386.tif 000017
2009515386.tif 000018